(57)【要約】【課題】  線画情報の入力中に、被写体を容易かつ確実に撮影する。【解決手段】  ファインダ２、撮影レンズ３及び発光部４の鉛直下側に、充分な長さが確保されているので、左手１２０が、上記各部２乃至４を覆うことなく、情報入力装置１を保持することができる。また、本実施例においては、ユーザの左手１２０の人差し指が、面Ｙ２上に設けられているレリーズスイッチ１２０の形成位置に配置され、左手１２０の親指が、面Ｙ１上に設けられている録音スイッチ１２の形成位置に配置される。従って、タッチタブレット６Ａに線画情報を入力している場合において、突然シャッタチャンス等が発生しても、左手の人差し指でレリーズスイッチ１０を押して、被写体を撮影することができ、親指で、録音スイッチ１２を押して、音声を入力することができる。本発明は、情報入力装置に適用できる。【選択図】図８
2005027335.tif 000002
【特許請求の範囲】
【請求項１】
ユーザが片手で把持することが可能な情報入力装置において、
被写体を撮像する撮像手段と、
前記撮像手段が設けられている第１の面と対向する面上に設けられ、前記撮像手段により撮像された前記被写体の画像情報を表示する表示手段と、
前記撮像手段が設けられている前記第１の面とは異なる面上に設けられ、音声情報を入力する音声入力手段と、
前記撮像手段が設けられている前記第１の面とは異なる面上で、かつ、前記撮像手段の鉛直下側に設けられ、前記撮像手段による前記被写体の撮像を指示する場合に操作される操作手段と、
前記撮像手段が設けられている前記第１の面と対向する面上で、かつ、前記表示手段および前記操作手段の鉛直上側に設けられ、前記音声情報を出力する音声出力手段と、
前記第１の面の前記撮像手段近傍に設けられ、被写体を照明する照明手段と
を備え、
前記撮像手段および前記表示手段は、同一の筐体の対向する面に配置される
ことを特徴とする情報入力装置。
【発明の詳細な説明】
【技術分野】
【０００１】
本発明は、情報入力装置に関し、特に、レリーズスイッチ及び録音スイッチを、ファインダ、発光部、撮影レンズ及びマイクロホンの下側に配置することにより、種々の情報を容易かつ確実に入力することができるようにした情報入力装置に関する。
【背景技術】
【０００２】
従来、被写体を撮影する撮影装置の一種として、撮影画像をディジタル画像データに変換して、メモリカード等の記録媒体に記録する電子カメラが広く知られている。
【０００３】
また、従来、ユーザの手書きの情報を記憶する装置として、いわゆる電子手帳がある。この電子手帳は、表面上にタッチタブレットが形成されている表示装置（例えば、液晶パネル等）を備えており、ユーザは、ペン型の指示装置のペン先でタッチタブレット押圧することにより、所望の線画情報を入力することができる。
【発明の開示】
【発明が解決しようとする課題】
【０００４】
ところで、上記電子カメラと電子手帳を一体化して、携帯性を有するようにした場合、以下に示す課題が生じる。
【０００５】
図１２及び図１３は、電子カメラと電子手帳を一体化させた、携帯型の情報入力装置の一構成例を示す斜視図である。この情報入力装置においては、例えば、液晶パネル等の表示装置の表面上に感圧型のタッチタブレット１０１が形成されており、ユーザは、図１４に示すペン型指示装置１１０のペン先でタッチタブレット１０１を押圧し、情報を入力することができる。
【０００６】
また、この情報入力装置を用いて被写体を撮影する場合、ユーザは、タッチタブレット１０１の形成されている側から、ファインダ１０２を覗いて被写体の撮影範囲を確認する。そして、この情報入力装置の上面に設けられているレリーズスイッチ１０３が操作されると、被写体からの光が、撮影レンズ１０４によって集光され、図示せぬ光電変換部（例えば、ＣＣＤ等）で画像信号に光電変換される。なお、このとき、発光部１０５に光を発光させ、被写体を照明するようにしてもよい。
【０００７】
この情報入力装置のタッチタブレット１０１に所望の情報を入力する場合、例えば、図１４及び図１５に示すように、ユーザは、左手１２０で情報入力装置を保持し、右手（図１４及び図１５においては図示せず）でペン型支持装置１１０を操作し、そのペン先をタッチタブレット１０１に接触させて情報を入力する。このとき、タッチタブレット１０１は、ペン型指示装置１１０から面に垂直方向に圧力を受ける。そこで、情報入力の際の手ぶれを抑制するために、左手１２０が、図１５に示すように、タッチタブレット１０１の形成面に対向する面を確実に保持しなければならない。
【０００８】
しかしながら、このような情報入力装置においては、図１４及び図１５に示す状態（すなわち、タッチタブレット１０１への情報の入力中）で、シャッタチャンスが発生した場合、以下に示す課題が発生する。すなわち、図１４及び図１５に示す状態においては、ユーザの右手はペン型指示装置１１０によってふさがれており、ユーザの左手１２０は、この情報入力装置の保持のためにふさがれている。従って、このとき、シャッタチャンスが発生しても、ユーザは、この情報入力装置の上面に設けられているレリーズスイッチ１０３を容易に操作することができず、シャッタチャンスを逃してしまうという課題がある。
【０００９】
さらに、このとき、撮影レンズ１０４及び発光部１０５は、情報入力装置を保持している左手１２０によって覆われてしまい、所望の被写体を、確実に撮影することが困難になってしまうという課題もある。
【００１０】
本発明はこのような状況に鑑みてなされたものであり、被写体を確実に撮影することを目的とする。
【課題を解決するための手段】
【００１１】
本発明の情報入力装置は、被写体を撮像する撮像手段と、撮像手段が設けられている第１の面と対向する面上に設けられ、撮像手段により撮像された被写体の画像情報を表示する表示手段と、撮像手段が設けられている第１の面とは異なる面上に設けられ、音声情報を入力する音声入力手段と、撮像手段が設けられている第１の面とは異なる面上で、かつ、撮像手段の鉛直下側に設けられ、撮像手段による被写体の撮像を指示する場合に操作される操作手段と、撮像手段が設けられている第１の面と対向する面上で、かつ、表示手段および操作手段の鉛直上側に設けられ、音声情報を出力する音声出力手段と、第１の面の撮像手段近傍に設けられ、被写体を照明する照明手段とを備え、撮像手段および表示手段は、同一の筐体の対向する面に配置されることを特徴とする。
【００１２】
本発明の情報入力装置においては、被写体を撮影する撮影手段が第１の面上に設けられ、撮像された被写体の画像情報を表示する表示手段が第１の面と対向する面上に設けられ、音声情報を入力する音声入力手段が第１の面とは異なる面上に設けられ、被写体の撮像を指示する場合に操作される操作手段が第１の面とは異なる面上で、かつ、撮像手段の鉛直下側に設けられ、音声情報を出力する音声出力手段が第１の面と対向する面上で、かつ、表示手段および操作手段の鉛直上側に設けられ、被写体を照明する照明手段が、第１の面の撮像手段近傍に設けられ、撮像手段および表示手段は、同一の筐体の対向する面に配置される。
【発明の効果】
【００１３】
以上のように、本発明の情報入力装置によれば、被写体を撮影する撮影手段が第１の面上に設けられ、撮像された被写体の画像情報を表示する表示手段が第１の面と対向する面上に設けられ、音声情報を入力する音声入力手段が第１の面とは異なる面上に設けられ、被写体の撮像を指示する場合に操作される操作手段が第１の面とは異なる面上で、かつ、撮像手段の鉛直下側に設けられ、音声情報を出力する音声出力手段が第１の面と対向する面上で、かつ、表示手段および操作手段の鉛直上側に設けられ、撮像手段および表示手段は、同一の筐体の対向する面に配置され、被写体を照明する照明手段が、第１の面の撮像手段近傍に設けられるようにしたので、被写体を容易かつ確実に撮影することができる。
【発明を実施するための最良の形態】
【００１４】
以下、本発明の実施例を図面を参照して説明する。
【００１５】
図１及び図２は、本発明を適用した情報入力装置の一実施例の構成を示す斜視図である。本実施例の情報入力装置においては、被写体を撮影する場合において、被写体に向けられる面が面Ｘ１とされ、ユーザ側に向けられる面が面Ｘ２とされている。面Ｘ１の上端部には、被写体の撮影範囲の確認に用いられるファインダ２、被写体からの光を取り込む撮影レンズ３、及び被写体を照明する光を発光する発光部４（いずれも、撮影手段）が設けられている。
【００１６】
一方、面Ｘ１に対向する面Ｘ２の上端部（面Ｘ１のファインダ２、操作レンズ３、発光部４が形成されている上端部に対応する位置）には、上記ファインダ２、及びこの情報入力装置１に記録されている音声を出力するスピーカ５が設けられている。また、面Ｘ２に形成されているＬＣＤ（表示装置）６及び操作キー７は、ファインダ２、撮影レンズ３、発光部４及びスピーカ５よりも、鉛直下側に形成されている。ＬＣＤ６の表面上には、ペン型指示装置（例えば、図１４のペン型指示装置１１０）の押圧操作により、線画情報（位置情報）が入力される、いわゆるタッチタブレット６Ａが形成されている。
【００１７】
このタッチタブレット６Ａは、ガラス樹脂等の透明な樹脂によって構成されており、ユーザは、タッチタブレット６Ａの内側に形成されているＬＣＤ６の表示する画像を、タッチタブレット６Ａを介して観察することができる。
【００１８】
操作キー７は、ＬＣＤ６に表示される記録データの再生等を実行する場合に操作されるキーであり、以下に示すキーによって構成されている。すなわち、メニューキー７Ａは、ＬＣＤ６上にメニュー画面（図示せず）を表示する場合に操作されるキーである。実行キー７Ｂは、ユーザによって選択された（後述する）記録情報を再生する場合に操作されるキーである。
【００１９】
クリアキー７Ｃは、記録した情報を削除する場合に操作されるキーである。キャンセルキー７Ｄは、記録情報の再生処理を中断する場合に操作されるキーである。スクロールキー７Ｅは、ＬＣＤ６に記録情報の一覧が表示されている場合において（後述する）、画面を上下方向にスクロールさせるときに操作されるキーである。
【００２０】
この情報入力装置１の上面（面Ｚ）には、音声を集音するマイクロホン８、及び図示せぬイヤホンが接続されるイヤホンジャック９が設けられている。
【００２１】
左側面（面Ｙ１）には、被写体を撮影するときに操作されるレリーズスイッチ１０及び電源スイッチ１１が設けられている。このレリーズスイッチ１０及び電源スイッチ１１は、面Ｘ１の上端部に設けられているファインダ２、撮影レンズ３及び発光部４よりも鉛直下側に配置されている。
【００２２】
一方、面Ｙ１に対向する面Ｙ２（右側面）には、音声を録音するときに操作される録音スイッチ１２と、撮影時の連写モードを切り換えるときに操作される連写モード切り換えスイッチ１３が設けられている。この録音スイッチ１２及び連写モード切り換えスイッチ１３は、上記レリーズスイッチ１０及び電源スイッチ１１と同様に、面Ｘ１の上端部に設けられているファインダ２、撮影レンズ３及び発光部４よりも鉛直下側に配置されている。また、録音スイッチ１２は、面Ｙ１のレリーズスイッチ１０とほぼ同じ高さに形成されており、左右どちらの手で持っても、違和感のないように構成されている。
【００２３】
なお、録音スイッチ１２とレリーズスイッチ１０の高さを、あえて異ならせることにより、一方のスイッチを押す場合に、この押圧力によるモーメントを打ち消すために反対側の側面を指で保持したとき、誤ってこの反対側の側面に設けられたスイッチが押されてしまわないようにしてもよい。
【００２４】
上記連写モード切り換えスイッチ１３は、ユーザがレリーズスイッチ１０を押して被写体を撮影するとき、被写体を１コマだけ撮影するのか、または、所定の複数コマ撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われるようになされている。
【００２５】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０の押されている期間中、１秒間に８コマの撮影が行われるようになされている（すなわち、低速連写モードになる）。
【００２６】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０の押されている期間中、１秒間に３０コマの撮影が行われるようになされている（すなわち、高速連写モードになる）。
【００２７】
次に、情報入力装置１の内部の構成について説明する。図３は、図１及び図２に示す情報入力装置の内部の構成例を示す斜視図である。ＣＣＤ２０は、撮影レンズ３の後段（面Ｘ２側）に設けられており、撮影レンズ３を介して結像する被写体からの光を電気信号に光電変換するようになされている。
【００２８】
ＬＣＤ６の鉛直下側には、円柱形状の４本のバッテリ（単３の乾電池）２１が縦に並べられており、このバッテリ２１に蓄積されている電力が各部に供給される。また、発光部４に光を発光させるための電荷を蓄積しているコンデンサ２２が、バッテリ２１と並べて配置されている。
【００２９】
回路基板２３には、この情報入力装置１の各部を制御する、種々の制御回路が形成されている。また、回路基板２３と、ＬＣＤ６及びバッテリ２１の間には、挿抜可能なメモリカード２４が設けられており、この情報入力装置１に入力される各種の情報が、それぞれ、メモリカード２４の予め設定されている領域に記録される。
【００３０】
なお、本実施例においては、メモリカード２４は挿抜可能とされているが、回路基板２３上にメモリを設け、そのメモリに各種情報を記録可能とするようにしてもよい。また、メモリ（メモリカード２４）に記録されている各種情報を、図示せぬインタフェースを介して外部のパーソナルコンピュータに出力することができるようにしてもよい。
【００３１】
次に、本実施例の情報入力装置１の内部の電気的構成を、図４のブロック図を参照して説明する。複数の画素を備えているＣＣＤ２０は、各画素に結像した光画像を画像信号（電気信号）に光電変換するようになされている。
【００３２】
相関二重サンプリング回路（以下、ＣＤＳという）３１は、ＣＣＤ２０が光電変換した画像信号を所定のタイミングでサンプリングするようになされている。アナログ／ディジタル変換回路（以下、Ａ／Ｄ変換回路という）３２は、ＣＤＳ３１でサンプリングした画像信号をディジタル化してディジタルシグナルプロセッサ（以下、ＤＳＰという）３３に供給するようになされている。
【００３３】
ＤＳＰ３３は、ディジタル化された画像信号を圧縮してＣＰＵ３４に出力するようになされている。ＣＰＵ３４は、ディジタル化及び圧縮処理された画像信号（以下、単に撮影画像データという）を、インタフェース（以下、Ｉ／Ｆという）３５を介してメモリカード２４の所定の領域（撮影画像記録領域）に記録するようになされている。
【００３４】
また、ＣＰＵ３４は、図示せぬ時計回路を内蔵しており、撮影した日時の情報を画像データのヘッダ情報として、メモリカード２４の撮影画像記録領域に記録するようになされている。（すなわち、メモリカード２４の撮影画像記録領域に記録される撮影画像データには、撮影日時のデータが付随している）。
【００３５】
マイクロホン８は音声情報を入力し（音声を集音し）、その音声情報をＡ／Ｄ変換回路３６に供給するようになされている。Ａ／Ｄ変換回路３６は、供給された音声情報をディジタル化してＤＳＰ３３に出力するようになされている。ＤＳＰ３３は、ディジタル化された音声情報を圧縮してＣＰＵ３４に出力するようになされている。
【００３６】
ＣＰＵ３４は、ディジタル化及び圧縮化された音声データをＩ／Ｆ３５を介してメモリカード２４の所定の領域（音声記録領域）に記録するようになされている。また、このとき、メモリカード２４の音声記録領域には、録音日時のデータが音声データのヘッダ情報として記録されるようになされている。
【００３７】
ユーザの操作するペン型指示装置によってタッチタブレット６Ａの所定の位置が押圧されると、ＣＰＵ３４は、タッチタブレット６Ａの押圧された位置のＸ−Ｙ座標を読み取り、その座標データ（後述する線画情報）を内部の図示せぬバッファメモリに蓄積するようになされている。また、ＣＰＵ３４は、バッファメモリに蓄積した線画情報を、線画情報入力日時のヘッダ情報とともに、メモリカード２４の線画情報記録領域に記録するようになされている。
【００３８】
ＣＰＵ３４には、フレームメモリ３７を介してＬＣＤ６が接続されており、画像の表示が可能とされている。但し、圧縮処理を受けた撮影画像データは、一旦、ＤＳＰ３３に入力され、そこで、伸長されてからフレームメモリ３７に供給されるようになされている。
【００３９】
さらに、ＤＳＰ３３には、ディジタル／アナログ変換回路（以下、Ｄ／Ａ変換回路という）３８を介してスピーカ５が接続されており、Ｄ／Ａ変換回路３８でアナログ化された音声信号がスピーカ５から出力されるようになされている。
【００４０】
次に、本実施例の情報入力装置１の各種動作について説明する。
【００４１】
まず、本装置の音声情報の入出力処理（但し、音声情報のみの入出力処理）について説明する。図１に示す電源スイッチ１１が「ＯＮ」と印刷されている側に切り換えられ、情報入力装置１に電源が投入され、面Ｙ２に設けられている録音スイッチ１２が押されると、音声の録音処理（音声情報の入力処理）が開始される。音声情報はマイクロホン８を介して入力され、Ａ／Ｄ変換回路３６によって、ディジタル化されてＤＳＰ３３に出力される。
【００４２】
ＤＳＰ３３は、ディジタル化された音声データを圧縮する。ＤＳＰ３３によって圧縮された音声データは、ＣＰＵ３４、Ｉ／Ｆ３５を介してメモリカード２４の音声記録領域に記録される。このとき、メモリカード２４の音声記録領域には、録音日時のデータが、圧縮された音声データのヘッダ情報として記録される。
【００４３】
なお、この場合における音声は、ＰＣＭ方式で圧縮、記録されるが、他の方式を用いるようにしてもよい。
【００４４】
メモリカード２４の音声記録領域に記録された音声データを再生させる場合、図５に示すＬＣＤ６の表示を操作する。図５に示すＬＣＤ６の表示画面上においては、情報を記録した時点の年月日（記録年月日）（この場合、１９９５年８月２５日）が画面の下端部に表示され、その記録年月日に記録された情報の記録時刻が画面の最も左側に表示されている。
【００４５】
記録時刻に右隣には、サムネイル画像及びサムネイル画像準備記号「＊」（いずれも後述する）が表示されている。この表示のある情報は、撮影画像情報を含む情報である。つまり、「１０時１６分」、「１０時２１分」、「１０時５４分」、「１３時１０分」に記録（入力）された情報には、撮影画像情報が含まれており、「１０時０５分」、「１０時２８分」に記録された情報には、画像情報が含まれていない。
【００４６】
サムネイル画像の表示領域の右側には、音声情報バーが表示され、録音時間の長さに対応する長さのバー（線）が表示される（音声情報が入力されていない場合は、表示されない）。
【００４７】
ユーザは、図５に示すＬＣＤ６の所望の情報の表示ラインのいずれかの部分を、ペン型指示装置のペン先で押圧して再生する情報を選択し、図２に示す実行キー７Ｂをペン型指示装置のペン先で押圧することにより、選択した情報を再生する。
【００４８】
例えば、図５に示す「１０時０５分」の表示されているラインがペン型指示装置によって押圧されると、ＣＰＵ３４は、選択された録音日時（１０時０５分）に対応する音声データをメモリカード２４から読み出し、ＤＳＰ３３に供給する。ＤＳＰ３３に供給された音声データ（圧縮されている音声データ）は、そこで伸長され、Ｄ／Ａ変換回路３８に出力される。
【００４９】
Ｄ／Ａ変換回路３８においてアナログ化された音声信号は、スピーカ５を介して再生される。なお、イヤホンジャック９に図示せぬイヤホンが接続されている場合においては、スピーカ５からは音声が再生されず、図示せぬイヤホンを介して音声が再生される。
【００５０】
次に、本装置による被写体の撮影及び撮影画像の出力について説明する。
【００５１】
第１に、面Ｙ２に設けられている連写モード切り換えスイッチ１３が、Ｓモード（１コマだけ撮影を行うモード）に切り換えられている場合について説明する。図１に示す電源スイッチ１１を「ＯＮ」と印刷されている側に切り換えて情報入力装置１に電源を投入し、面Ｙ１に設けられているレリーズスイッチ１０を押すと、被写体の撮影処理が開始される。
【００５２】
ファインダ２で観察される被写体からの光が撮影レンズ３によって集光され、複数の画素を備えるＣＣＤ２０に結像する。ＣＣＤ２０に結像した被写体からの光は、各画素で画像信号に光電変換され、ＣＤＳ３１によってサンプリングされる。ＣＤＳ３１によってサンプリングされた画像信号は、Ａ／Ｄ変換回路３２に供給され、そこでディジタル化されてＤＳＰ３３に出力される。
【００５３】
ＤＳＰ３３は、ディジタル化された画像信号を、離散的コサイン変換、量子化及びハフマン符号化を組み合わせたＪＰＥＧ（Ｊｏｉｎｔ  Ｐｈｏｔｏｇｒａｆｉｃ  Ｅｘｐｅｒｔｓ  Ｇｒｏｕｐ）方式に従って圧縮し、ＣＰＵ３４に出力する。ＣＰＵ３４は、ディジタル化及び圧縮処理された撮影画像データを、Ｉ／Ｆ３５を介して、メモリカード２４の撮影画像記録領域に記録させる。このとき、メモリカード２４の撮影画像記録領域には、撮影日時のデータが、撮影画像データのヘッダ情報として記録される。
【００５４】
なお、連写モード切り換えスイッチ１３がＳモードに切り換えられている場合においては、１コマの撮影だけが行われ、レリーズスイッチ１０が継続して押され続けても、それ以降の撮影は行われない。また、レリーズスイッチ１０が継続して押され続けると、ＬＣＤ６上に、撮影した画像が表示される。
【００５５】
第２に、連写モード切り換えスイッチ１３がＬモード（１秒間に８コマの連写を行うモード）に切り換えられている場合について説明する。電源スイッチ１１を「ＯＮ」と印刷されている側に切り換えて情報入力装置１に電源を投入し、面Ｙ１に設けられているレリーズスイッチ１０を押すと、被写体の撮影処理が開始される。
【００５６】
ファインダ２で観察される被写体からの光が撮影レンズ３によって集光され、複数の画素を備えるＣＣＤ２０に結像する。ＣＣＤ２０に結像した被写体からの光は、各画素で画像信号に光電変換され、ＣＤＳ３１によって１秒間に８回の割合でサンプリングされる。また、このとき、ＣＤＳ３１は、ＣＣＤ２０の全画素の画像電気信号のうち４分の３の画素を間引く。
【００５７】
すなわち、ＣＤＳ３１は、マトリクス状に配列されているＣＣＤ２０の画素を、図６に示すように、２×２画素（４つの画素）を１つとする領域に分割し、その１つの領域から、所定の位置に配置されている１画素の画像信号をサンプリングし、残りの３画素を間引く。
【００５８】
例えば、第１回目のサンプリング時（１コマ目）においては、各領域の左上の画素ａがサンプリングされ、その他の画素ｂ，ｃ，ｄが間引かれる。第２回目のサンプリング時（２コマ目）においては、各領域の右上の画素ｂがサンプリングされ、その他の画素ａ，ｃ，ｄが間引かれる。以下、第３回目、第４回目のサンプリング時においては、左下の画素ｃ、右下の画素ｄが、それぞれ、サンプリングされ、その他の画素が間引かれる。つまり、４コマ毎に各画素がサンプリングされる。
【００５９】
ＣＤＳ３１によってサンプリングされた画像信号（ＣＣＤ２０の全画素中の４分の１の画素の画像信号）は、Ａ／Ｄ変換回路３２に供給され、そこでディジタル化されてＤＳＰ３３に出力される。
【００６０】
ＤＳＰ３３は、ディジタル化された画像信号を、ＪＰＥＧ方式に従って圧縮し、ＣＰＵ３４に供給する。ＣＰＵ３４は、ディジタル化及び圧縮処理された撮影画像データを、Ｉ／Ｆ３５を介して、メモリカード２４の撮影画像記録領域に記録する。このとき、メモリカード２４の撮影画像記録領域には、撮影日時のデータが、撮影画像データのヘッダ情報として記録される。
【００６１】
第３に、連写モード切り換えスイッチ１３がＨモード（１秒間に３０コマの連写を行うモード）に切り換えられている場合について説明する。電源スイッチ１１を「ＯＮ」と印刷されている側に切り換えて情報入力装置１に電源を投入し、面Ｙ１に設けられているレリーズスイッチ１０を押すと、被写体の撮影処理が開始される。
【００６２】
ファインダ２で観察される被写体からの光が撮影レンズ３によって集光され、ＣＣＤ２０に結像する。複数の画素を備えるＣＣＤ２０に結像した被写体からの光は、各画素で画像信号に光電変換され、ＣＤＳ３１によって１秒間に３０回の割合でサンプリングされる。また、このとき、ＣＤＳ３１は、ＣＣＤ２０の全画素の画像電気信号のうち９分の８の画素を間引く。
【００６３】
すなわち、ＣＤＳ３１は、マトリクス状に配列されているＣＣＤ２０の画素を、図７に示すように、３×３画素を１つとする領域に分割し、その１つの領域から、所定の位置に配置されている１画素の画像電気信号を、１秒間に３０回の割合でサンプリングし、残りの８画素を間引く。
【００６４】
例えば、第１回目のサンプリング時（１コマ目）においては、各領域の左上の画素ａがサンプリングされ、その他の画素ｂ乃至ｉが間引かれる。第２回目のサンプリング時（２コマ目）においては、画素ａの右側に配置されている画素ｂがサンプリングされ、その他の画素ａ，ｃ乃至ｉが間引かれる。以下、第３回目以降のサンプリング時においては、画素ｃ、画素ｄ・・・が、それぞれ、サンプリングされ、その他の画素が間引かれる。つまり、９コマ毎に各画素がサンプリングされる。
【００６５】
ＣＤＳ３１によってサンプリングされた画像信号（ＣＣＤ２０の全画素中の９分の１の画素の画像信号）は、Ａ／Ｄ変換回路３２に供給され、そこでディジタル化されてＤＳＰ３３に出力される。
【００６６】
ＤＳＰ３３は、ディジタル化された画像信号を、ＪＰＥＧ方式に従って圧縮し、ＣＰＵ３４に出力する。
【００６７】
ＣＰＵ３４は、ディジタル化及び圧縮処理された撮影画像データを、撮影日時のヘッダ情報を付随して、メモリカード２４の撮影画像記録領域に記録する。
【００６８】
メモリカード２４に記録した撮影画像データを再生する場合、上述した音声データの再生処理と同様に、図５に示すＬＣＤ６の表示画面を操作するようにする。なお、図５に示すサムネイル画像は、メモリカード２４に記録された撮影画像データの各画像データのビットマップデータを間引いて（縮小して）作成されたものである。
【００６９】
この場合、図５に示す表示画面のうちの、サムネイル画像またはサムネイル画像準備記号「＊」が表示されているラインの情報に、撮影した画像情報が含まれている。ユーザは、所望のサムネイル画像を、ペン型指示装置のペン先で押圧することによりその情報を選択し、実行キー７Ｂを押して選択した情報を再生させる。
【００７０】
ＣＰＵ３４は、選択された撮影日時に対応する撮影画像データをメモリカード２４から読み出し、ＤＳＰ３３に供給する。ＤＳＰ３３に供給された撮影画像データ（圧縮されている撮影画像データ）はそこで伸長され、ＣＰＵ３４に再び出力される。ＣＰＵ３４は、この撮影画像データをビットマップデータとしてフレームメモリ２７に一旦蓄積させ、ＬＣＤ６に表示させる。
【００７１】
Ｓモードで撮影された画像は、ＬＣＤ６上に、静止画像として表示される。この静止画像は、ＣＣＤ２０の全ての画素の画像信号を再生したものであることはいうまでもない。
【００７２】
Ｌモードで撮影された画像は、ＬＣＤ６上において、１秒間に８コマの割合で連続して表示される。このとき、各コマに表示される画素数は、ＣＣＤ２０の全画素数の４分の１である。
【００７３】
通常、人間の目は、静止画像の解像度の劣化に対しては敏感に反応するため、静止画像の画素を間引くことは、ユーザに画質の劣化として捉えられてしまう。しかしながら、撮影時の連写速度が上がり、Ｌモードにおいて１秒間に８コマ撮影され、この画像が１秒間に８コマの早さで再生された場合においては、各コマの画素数がＣＣＤ２０の画素数の４分の１になるが、人間の目は１秒間に８コマの画像を観察するので、１秒間に人間の目に入る情報量は、静止画像の場合に比べて２倍になる。
【００７４】
すなわち、Ｓモードで撮影された画像の１コマの画素数を１とすると、Ｌモードで撮影された画像の１コマの画素数は１／４とされる。Ｓモードで撮影された画像（静止画像）がＬＣＤ６に表示された場合、１秒間に人間の目に入る情報量は１（＝（画素数１）×（コマ数１））となる。一方、Ｌモードで撮影された画像がＬＣＤ６に表示された場合、１秒間に人間の目に入る情報量は２（＝（画素数１／４）×（コマ数８））となる（すなわち、人間の目には、静止画像の２倍の情報が入る）。従って、１コマ中の画素の数を４分の１にしても、再生時において、ユーザは、画質の劣化をさほど気にすることなく再生画像を観察することができる。
【００７５】
さらに、本実施例においては、各コマ毎に異なる画素をサンプリングし、そのサンプリングした画素をＬＣＤ６に表示するようにしているので、人間の目に残像効果が起こり、１コマ当たり４分の３画素を間引いたとしても、ユーザは、画質の劣化をさほど気にすることなくＬＣＤ６に表示されるＬモードで撮影された画像を観察することができる。
【００７６】
また、Ｈモードで撮影された画像は、ＬＣＤ６上において、１秒間に３０コマの割合で連続して表示される。このとき、各コマに表示される画素数は、ＣＣＤ２０の全画素数の９分の１であるが、Ｌモードの場合と同様の理由で、ユーザは、画質の劣化をさほど気にすることなくＬＣＤ６に表示されるＨモードで撮影された画像を観察することができる。
【００７７】
本実施例においては、Ｌモード及びＨモードで被写体を撮影する場合、ＣＤＳ３１が、再生時における画質の劣化が気にならない程度にＣＣＤ２０の画素を間引くようにしているので、ＤＳＰ３３の負荷を低減することができ、ＤＳＰ３３を、低速度、低電力で作動させることができる。また、このことにより、装置の低コスト化及び低消費電力化が可能になる。
【００７８】
なお、必要に応じて、発光部４を動作させ、被写体に光を照射させることもできる。
【００７９】
次に、タッチタブレット６Ａから２次元の情報（ペン入力情報）を入力する場合の動作について説明する。タッチタブレット６Ａが図示せぬペン型指示装置のペン先で押圧されると、接触した箇所のＸ−Ｙ座標がＣＰＵ３４に入力される。このＸ−Ｙ座標は、ＣＰＵ３４の内部のバッファメモリ（図示せず）に蓄積されるとともに、フレームメモリ３７の内部の上記Ｘ−Ｙ座標の各点に対応した箇所にデータが書き込まれ、ＬＣＤ６上に表示される。
【００８０】
上述したように、ＬＣＤ６の表面上に形成されているタッチタブレット６Ａは、透明部材によって構成されているので、ユーザは、ＬＣＤ６上に表示される点（ペン型指示装置のペン先で押圧された位置の点）を観察することができ、あたかもＬＣＤ６上に直接ペン入力をしたかのように感じることができる。また、ペン型指示部材をタッチタブレット６Ａ上で移動させると、ＬＣＤ６上には、ペン型指示装置の移動に伴う線が表示される。さらに、ペン型指示装置をタッチタブレット６Ａ上で断続的に移動させると、ＬＣＤ６上には、ペン型指示装置の移動に伴う破線が表示される。以上のようにして、ユーザは、タッチタブレット６Ａ（ＬＣＤ６）に所望の文字、図形等の線画情報を入力する。
【００８１】
また、後述するように、ＬＣＤ６上に撮影画像が表示されている場合において、ペン型指示装置によって線画情報が入力されると、この線画情報が、撮影画像情報とともに、フレームメモリ３７で合成され、ＬＣＤ６上に同時に表示される。
【００８２】
なお、ユーザは、図示せぬ色選択スイッチを操作することによって、ＬＣＤ６上に表示される線画の色を、黒、白、赤、青等の色から選択することができる。
【００８３】
ペン型指示装置によるタッチタブレット６Ａへの線画情報の入力後、操作キー７の実行キー７Ｂが押されると、ＣＰＵ３３の内部のバッファメモリに蓄積されている線画情報が、入力日時のヘッダ情報とともにＩ／Ｆ３５を介してメモリカード２４に供給され、メモリカード２４の線画情報記録領域に記録される。
【００８４】
なお、メモリカード２４に記録される線画情報は、圧縮処理の施された情報である。タッチタブレット６Ａに入力された線画情報は空間周波数成分の高い情報を多く含んでいるので、上記撮影画像の圧縮に用いられるＪＰＥＧ方式によって圧縮処理を行うと、圧縮効率が悪く情報量が小さくならず、圧縮及び伸長に必要とされる時間が長くなってしまう。さらに、ＪＰＥＧ方式による圧縮は、非可逆圧縮であるので、情報量の少ない線画情報の圧縮には適していない（伸長してＬＣＤ６上に表示した場合、情報の欠落に伴うギャザ、にじみが際だってしまうため）。
【００８５】
そこで、本実施例においては、ファックス等において用いられるランレングス法によって、線画情報を圧縮するようにしている。ランレングス法とは、線画画面を水平方向に走査し、黒、白、赤、青等の各色の情報（点）の継続する長さ、及び無情報（ペン入力のない部分）の継続する長さを符号化することにより、線画情報を圧縮する方法である。
【００８６】
このランレングス法を用いることにより、線画情報を最小に圧縮することができ、また、圧縮された線画情報を伸長した場合においても、情報の欠落を抑制することが可能になる。なお、線画情報は、その情報量が比較的少ない場合には、圧縮しないようにすることもできる。
【００８７】
また、上述したように、ＬＣＤ６上に撮影画像が表示されている場合において、ペン入力を行うと、撮影画像データとペン入力の線画情報がフレームメモリ３７で合成され、撮影画像と線画の合成画像がＬＣＤ６上に表示される。その一方で、メモリカード２４においては、撮影画像データは、撮影画像記録領域に記録され、線画情報は、線画情報記録領域に記録される。このように、２つの情報が、各々異なる領域に記録されるので、ユーザは、撮影画像と線画の合成画像から、いずれか一方の画像（例えば線画）を削除することができ、さらに、各々の画像情報を個別の圧縮方法で圧縮することもできる。
【００８８】
ところで、本実施例においては、上述したように、メモリカード２４に記録される各種の情報（データ）には、それぞれの情報が入力された日時のデータがヘッダ情報として付随されている。ユーザは、ＬＣＤ６上に表示される日時のデータから、所望の情報を選択して再生することができる（図５）。
【００８９】
また、複数の情報（撮影画像、音声、線画）が同時に入力された場合、各々の情報は、メモリカード２４の所定の領域に別個に記録されるが、その各々の情報には、互いに同一の日時のヘッダ情報が付随している。
【００９０】
例えば、情報Ａ（撮影画像）、情報Ｂ（音声）、情報Ｃ（線画）が同時に入力された場合、メモリカード２４の所定の領域に記録される各情報Ａ，Ｂ，Ｃは、同一の入力日時のデータをヘッダ情報として各々備えるようにする。また、情報Ａのヘッダ情報を入力日時のデータとし、情報Ｂ及びＣのヘッダ情報を、情報Ａに関連する旨のデータとするようにしてもよい。
【００９１】
以上のようにすることにより、同時に入力された情報は、再生時において、同時に再生される。
【００９２】
また、本実施例においては、第１の情報（例えば、撮影画像）を記録した後に、第１の情報と異なる第２の情報（例えば、線画）を、第１の情報に追加した形で記録させることもできる。このように、第１の情報に追加して、第２の情報を加える場合、第１の情報を再生した状態で、第２の情報を入力するようにする。以下に、この場合の詳細な説明をする。
【００９３】
例えば、予め記録されている音声情報が再生されている場合において、レリーズスイッチ１０が押され、被写体の撮影処理が行われると、メモリカード２４の撮影画像記録領域に記録される撮影画像データには、その音声情報の記録が開始された日時のヘッダ情報が付随される。
【００９４】
また、例えば、１９９５年８月２５日１０時５分に記録が開始された音声情報の再生中において、再生開始から１分経過したとき（すなわち、再生データが１９９５年８月２５日１０時６分のデータになったとき）、撮影処理が行われると、メモリカード２４の撮影画像記録領域に記録される撮影画像データには、１９９５年８月２５日１０時６分のヘッダ情報が付随されるようにすることもできる（なお、開始時刻（１０時５分）をヘッダ情報とするようにしてもよいし、いずれか一方をデフォルトとして登録するようにしてもよい（その選択は、ユーザによってなされる））。
【００９５】
同様に、予め記録されている音声情報が再生されている場合において、線画情報が入力されると、メモリカード２４の線画情報記録領域には、その線画情報とともに、音声情報の記録日時のヘッダ情報と同一のヘッダ情報が記録される。
【００９６】
予め、同時に入力された音声情報及び撮影画像情報が再生されている場合において、線画情報が入力されると、メモリカード２４の線画情報記録領域には、その線画情報とともに、音声情報（または撮影画像情報）の記録日時のヘッダ情報と同一のヘッダ情報が記録される。
【００９７】
予め、同時に入力された音声情報及び線画情報が再生されている場合において、撮影画像情報が入力されると、メモリカード２４の撮影画像記録領域には、その撮影画像データとともに、音声情報（または線画情報）の記録日時のヘッダ情報と同一のヘッダ情報が記録される。
【００９８】
予め入力されている撮影画像が再生されている場合において、音声情報が入力されると、メモリカード２４の音声情報記録領域には、その音声データとともに、撮影画像の記録日時のヘッダ情報と同一のヘッダ情報が記録される。
【００９９】
予め入力されている撮影画像が再生されている場合において、線画情報が入力されると、メモリカード２４の線画情報記録領域には、その線画情報とともに、撮影画像の記録日時のヘッダ情報と同一のヘッダ情報が記録される。
【０１００】
予め、同時に入力された撮影画像情報及び線画情報が再生されている場合において、音声情報が入力されると、メモリカード２４の音声記録領域には、その音声データとともに、撮影画像情報（または線画情報）の記録日時のヘッダ情報と同一のヘッダ情報が記録される。
【０１０１】
予め入力されている線画情報が再生されている場合において、撮影画像情報が入力されると、メモリカード２４の撮影画像記録領域には、その撮影画像データとともに、線画情報の記録日時のヘッダ情報と同一のヘッダ情報が記録される。
【０１０２】
予め入力されている線画情報が再生されている場合において、音声情報が入力されると、メモリカード２４の音声記録領域には、その音声データとともに、線画情報の記録日時のヘッダ情報と同一のヘッダ情報が記録される。
【０１０３】
以上のように、予め記録されている第１の情報が再生されている場合において、第２の情報が入力されると、第１の情報の記録日時が第２の情報のヘッダ情報となる。このようにすることによって、後から情報を追加しても、元の情報と追加された情報の関係を保つことができる。
【０１０４】
次に、被写体を撮影しているときに、音声を記録する場合について説明する。
【０１０５】
まず、連写モード切り換えスイッチ１３がＳモード（単写モード）に切り換えられている場合について説明する。最初に、録音スイッチ１２が押されると、音声情報の入力が行われ、メモリカード２４の音声情報記録領域には、音声データとともに、記録開始日時のヘッダ情報が記録される。そして、音声情報の入力中、レリーズスイッチ１０が押されると（Ｓモード）、被写体が１コマ撮影され、その撮影画像データがメモリカード２４に記録される。この撮影画像データには、レリーズスイッチ１０が押されたとき（撮影開始時）の日時のヘッダ情報が付随している。
【０１０６】
一方、最初に、レリーズボタン１０が押されると、被写体が１コマ撮影される。このとき、メモリカード２４に記録される撮影画像データには、撮影時の日時がヘッダ情報として記録される。さらに、レリーズボタン１０が継続して押されていると、撮影した画像が、ＬＣＤ６上に表示され、このとき、録音スイッチ１２が押されると、音声情報が入力される。このとき、メモリカード２４の音声情報記録領域に記録される音声データには、撮影したときの日時がヘッダ情報として付随される。
【０１０７】
次に、連写モード切り換えスイッチ１３が、ＬモードまたはＨモード（連写モード）に切り換えられている場合について説明する。最初に、レリーズスイッチ１０が押され、次に録音スイッチ１２が押された場合、及びレリーズスイッチ１０と録音スイッチ１２が同時に押された場合、撮影画像及び音声情報は、次に示すように記録される。
【０１０８】
連写モード切り換えスイッチ１３がＬモードに切り換えられている場合においては、１秒間に８コマの撮影が行われ、メモリカード２４の撮影画像記録領域に記録される各コマの撮影画像データには、各々が撮影された日時のヘッダ情報が付随される。従って、各コマのヘッダには、０．１２５秒間隔の日時が記録されることになる。また、このとき、音声情報は０．１２５秒毎に記録され（但し、継続して入力される）、メモリカード２４の音声情報記録領域に記録される音声データにも、０．１２５秒間隔の日時のヘッダ情報が記録される。
【０１０９】
同様に、連写モード切り換えスイッチ１３がＨモードに切り換えられている場合においては、１秒間に３０コマの撮影が行われ、メモリカード２４の撮影画像記録領域に記録される各コマの撮影画像データには、各々が撮影された日時のヘッダ情報が付随される。従って、各コマのヘッダには、１／３０秒間隔の日時が記録されることになる。また、このとき、音声情報は１／３０秒毎に記録され（但し、継続して入力される）、メモリカード２４の音声情報記録領域に記録される音声データにも、１／３０秒間隔の日時のヘッダ情報が記録される。
【０１１０】
以上のようにすることにより、記録後に撮影画像または音声を編集する場合、任意の撮影画像を除去すると、その撮影画像のヘッダ情報と同一のヘッダ情報を有する音声情報も除去することができる。
【０１１１】
一方、連写モード切り換えスイッチ１３が、ＬモードまたはＨモードに切り換えられている場合（連写モードに切り換えられている場合）において、最初に録音スイッチ１２が押され、後からレリーズスイッチ１０が押されると、メモリカード２４に記録される情報には、以下に示すヘッダ情報が記録される。
【０１１２】
すなわち、この場合においては、レリーズスイッチ１０が押されるまでの音声データが、メモリカード２４の音声情報記録領域に、１つのファイルとして記録される。その後、レリーズスイッチ１０が押された場合には、撮影画像の各コマに対応する日時のヘッダ情報が音声データとともに記録される。
【０１１３】
次に、本実施例の情報入力装置１の保持について図８及び図９を参照して説明する。すなわち、本実施例の情報入力装置１においては、被写体の撮影に用いられるファインダ２、撮影レンズ３及び発光部４が、装置本体の上端部に設けられている。また、音声を入力するマイクロホン８が、装置本体の上面（面Ｚ）上に設けられている。
【０１１４】
また、被写体を撮影する場合に操作されるレリーズスイッチ１０、及び音声を入力する場合に操作される録音スイッチ１２が、それぞれ、上記ファインダ２、撮影レンズ３、発光部４及びマイクロホン８よりも鉛直下側の面Ｙ１、面Ｙ２上に設けられている。
【０１１５】
さらに、面Ｘ２上において、ＬＣＤ６がファインダ２よりも鉛直下側に配置され、装置の内部においては、ＬＣＤ６の鉛直下側には、図３に示すバッテリ２１及びコンデンサ２２が設けられている。
【０１１６】
図示せぬペン型指示装置を右手に持ち、ＬＣＤ６（タッチタブレット６Ａ）に線画情報を入力する場合、図８及び図９に示すように、ユーザは、面Ｘ１（ＬＣＤ６の形成されている面Ｘ１に対向する面）を、左手１２０の手のひらによって確実に保持する。
【０１１７】
この情報入力装置１においては、ファインダ２、撮影レンズ３、発光部４の鉛直下側に、充分な長さが確保されており（バッテリ２１及びコンデンサ２２が設けられているため）、装置を保持する左手１２０によって、上記各部２乃至４が覆われることがなくなる。また、本実施例においては、ユーザの左手１２０の人差し指が、面Ｙ２上に設けられているレリーズスイッチ１２０の形成位置に配置され、左手１２０の親指が、面Ｙ１上に設けられている録音スイッチ１２の形成位置に配置される。従って、タッチタブレット６Ａに線画情報を入力している場合において、突然シャッタチャンス等が発生しても、左手の人差し指でレリーズスイッチ１０を押して、被写体を撮影することができ、親指で、録音スイッチ１２を押して、音声を入力することができる。
【０１１８】
また、ユーザ側に向けられる面Ｘ２の右側側面（面Ｙ１）にレリーズスイッチが設けられているので、ユーザは、通常のカメラと同様に、レリーズスイッチ１０を右手で操作することができる。
【０１１９】
なお、本実施例の情報入力装置１においては、ユーザが、情報入力装置１を保持するとき、右手または左手のいずれを用いても支障がないように、レリーズスイッチ１０と録音スイッチ１２が、左右対称に形成されている（ほぼ同じ高さに形成されている）。
【０１２０】
さらに、レリーズスイッチ１０及び録音スイッチ１２を、図１０及び図１１に示すように、それぞれ、面Ｘ１及び面Ｘ２上に配置することもできる。この場合においても、各スイッチ１０及び１２は、ファインダ２、撮影レンズ３、発光部４等よりも、鉛直下側に配置されている。このような配置にした場合においても、ユーザは、この情報入力装置１Ａを、左手１２０によって上記各部２乃至４を覆うことなく、確実に保持することができ、その親指で録音スイッチ１２を操作し、その人差し指でレリーズスイッチ１０を操作することができる。
【０１２１】
なお、以上においては、撮影画像データと音声データを、ヘッダ情報で対応させるようにしたが、対応関係を例えば検索情報として、撮影画像データおよび音声データとは別に、まとめて記録することもできる。
【図面の簡単な説明】
【０１２２】
【図１】本発明を適用した情報入力装置の一実施例の構成を示す斜視図である。
【図２】図１に示す情報入力装置１を、面Ｘ１に対向する側から見た場合の斜視図である。
【図３】図１及び図２に示す情報入力装置１の内部の構成を示す斜視図である。
【図４】図１及び図２に示す情報入力装置の内部の電気的構成を示すブロック図である。
【図５】記録情報を再生する場合に操作される表示画面を示す図である。
【図６】Ｌモード時における画素の間引き処理を説明する図である。
【図７】Ｈモード時における画素の間引き処理を説明する図である。
【図８】情報入力装置１を左手で保持した場合の例を示す斜視図である。
【図９】情報入力装置１を左手で保持した場合の例を示す斜視図である。
【図１０】本発明を適用した他の実施例の情報入力装置１Ａを左手で保持した場合の様子を示す斜視図である。
【図１１】本発明を適用した他の実施例の情報入力装置１Ａを左手で保持した場合の様子を示す斜視図である。
【図１２】電子カメラと電子手帳とを一体化させた情報入力装置の一構成例を示す斜視図である。
【図１３】電子カメラと電子手帳とを一体化させた情報入力装置の一構成例を示す斜視図である。
【図１４】図１２及び図１３に示す情報入力装置を左手で保持した場合の様子を示す斜視図である。
【図１５】図１２及び図１３に示す情報入力装置を左手で保持した場合の様子を示す斜視図である。
【符号の説明】
【０１２３】
１，１Ａ  情報入力装置
２  ファインダ
３  撮影レンズ
４  発光部
５  スピーカ
６  ＬＣＤ
６Ａ  タッチタブレット
７  操作キー
７Ａ  メニューキー
７Ｂ  実行キー
７Ｃ  クリアキー
７Ｄ  キャンセルキー
７Ｅ  スクロールキー
８  マイクロホン
９  イヤホンジャック
１０  レリーズスイッチ
１１  電源スイッチ
１２  録音スイッチ
１３  連写モード切り換えスイッチ
２０  ＣＣＤ
２１  バッテリ
２２  コンデンサ
２３  回路基板
２４  メモリカード
３１  相関二重サンプリング回路（ＣＤＳ）
３２  アナログ／ディジタル変換回路
３３  ディジタルシグナルプロセッサ（ＤＳＰ）
３４  ＣＰＵ
３５  インタフェース
３６  アナログ／ディジタル変換回路
３７  フレームメモリ
３８  ディジタル／アナログ変換回路
１０１  タッチタブレット
１０２  ファインダ
１０３  レリーズスイッチ
１０４  撮影レンズ
１０５  発光部
１１０  ペン型指示装置
１２０  左手
【図１】
2005027335.tif 000003
【図２】
2005027335.tif 000004
【図３】
2005027335.tif 000005
【図４】
2005027335.tif 000006
【図５】
2005027335.tif 000007
【図６】
2005027335.tif 000008
【図７】
2005027335.tif 000009
【図８】
2005027335.tif 000010
【図９】
2005027335.tif 000011
【図１０】
2005027335.tif 000012
【図１１】
2005027335.tif 000013
【図１２】
2005027335.tif 000014
【図１３】
2005027335.tif 000015
【図１４】
2005027335.tif 000016
【図１５】
2005027335.tif 000017